(57)【要約】【課題】コネクタに作用する外力に対して当該コネクタを確実に保護し得るコネクタの支持構造を提供する。【解決手段】保持ユニット２０では、保持側コネクタ３２およびこの保持側コネクタ３２が設けられる基板３１は、弾性変形可能な基板側係合凸部４０の両一側係合凸部４１，４２および両他側係合凸部４３，４４が支持部材５０における両一側係合凹部５１，５２および両他側係合凹部５３，５４に係合することにより、支持部材５０に支持されている。【選択図】図２
2010146929.tif 000002
【特許請求の範囲】
【請求項１】
基板の一側面に設けられるコネクタを、前記基板に設けられる弾性変形可能な基板側係合凸部が係合する支持部材により前記基板を介して支持するコネクタの支持構造であって、
前記基板側係合凸部は、
前記基板の前記一側面にて前記コネクタに対して互いに対角の位置に配置されて断面形状が多角形状または円状に形成される２つの一側係合凸部と、前記基板の他側面にて前記両一側係合凸部に対して前記基板を介して対向する位置にそれぞれ配置されて断面形状が多角形状または円状に形成される２つの他側係合凸部と、を備えるとともに、
前記支持部材は、
前記両一側係合凸部の表面にそれぞれ面接触した状態で係合する２つの一側係合凹部が形成される一側支持部と、前記両他側係合凸部の表面にそれぞれ面接触した状態で係合する２つの他側係合凹部が形成される他側支持部と、を備えることを特徴とするコネクタの支持構造。
【請求項２】
前記両一側係合凸部および前記両他側係合凸部は、球形状にそれぞれ形成されるとともに、
前記両一側係合凹部および前記両他側係合凹部は、前記両一側係合凸部および前記両他側係合凸部の球面にそれぞれ面接触した状態で係合可能に形成されることを特徴とする請求項１に記載のコネクタの支持構造。
【請求項３】
前記一側支持部は、前記両一側係合凹部間から離間する部位が前記基板から離間するように形成されるとともに、
前記他側支持部は、前記両他側係合凹部間から離間する部位が前記基板から離間するように形成されることを特徴とする請求項１または２に記載のコネクタの支持構造。
【請求項４】
前記一側係合凸部の１つと前記基板を介して対向する前記他側係合凸部とが連結部により連結され、この連結部が前記基板に形成される凹部に係合することにより、当該連結部にて一体に連結される前記一側係合凸部および前記他側係合凸部が前記基板に取り付けられることを特徴とする請求項１〜３のいずれか一項に記載のコネクタの支持構造。
【請求項５】
前記コネクタは、その挿抜方向が前記基板の前記一側面に直交するように前記基板に配置されており、
前記一側支持部および前記他側支持部は、前記両一側係合凹部間の部位と前記両他側係合凹部間の部位とが互いに近接するように配置されることを特徴とする請求項１〜４のいずれか一項に記載のコネクタの支持構造。
【発明の詳細な説明】
【技術分野】
【０００１】
本発明は、コネクタの支持構造に関するものである。
【背景技術】
【０００２】
従来より、コネクタの支持構造に関する技術として、下記特許文献１に示すプリント基板の支持構造が知られている。このプリント基板の支持構造では、コネクタの一方のメンバが固定されているプリント基板がそれの板面と平行な方向の変位を許容する弾性支持部材を介して筐体に取り付けられている。これにより、コネクタにおいて一方のメンバと他方のメンバとを接続する際に、両メンバに多少の位置ずれが存在しても、一方のメンバがプリント基板とともに弾性支持部材により変位するので、信頼性の高いコネクタ接続が達成される。
【特許文献１】実開平５−２５２８号公報
【発明の開示】
【発明が解決しようとする課題】
【０００３】
しかしながら、例えば、コネクタ接続を解除する場合やコネクタ接続された製品が落下による場合に当該コネクタに作用する外力は、基板に平行な方向に限らず様々な方向に作用する。このため、上述のような支持構造では、コネクタに作用する衝撃力等の外力を十分に吸収できないという問題がある。特に、コネクタに作用する外力が大きい場合には、コネクタが変形または破損してしまう可能性がある。
【０００４】
本発明は、上述した課題を解決するためになされたものであり、その目的とするところは、コネクタに作用する外力に対して当該コネクタを確実に保護し得るコネクタの支持構造を提供することにある。
【課題を解決するための手段】
【０００５】
上記目的を達成するため、請求項１の発明は、基板の一側面に設けられるコネクタを、前記基板に設けられる弾性変形可能な基板側係合凸部が係合する支持部材により前記基板を介して支持するコネクタの支持構造であって、前記基板側係合凸部は、前記基板の前記一側面にて前記コネクタに対して互いに対角の位置に配置されて断面形状が多角形状または円状に形成される２つの一側係合凸部と、前記基板の他側面にて前記両一側係合凸部に対して前記基板を介して対向する位置にそれぞれ配置されて断面形状が多角形状または円状に形成される２つの他側係合凸部と、を備えるとともに、前記支持部材は、前記両一側係合凸部の表面にそれぞれ面接触した状態で係合する２つの一側係合凹部が形成される一側支持部と、前記両他側係合凸部の表面にそれぞれ面接触した状態で係合する２つの他側係合凹部が形成される他側支持部と、を備えることを特徴とする。
【０００６】
請求項２の発明は、請求項１に記載のコネクタの支持構造において、前記両一側係合凸部および前記両他側係合凸部は、球形状にそれぞれ形成されるとともに、前記両一側係合凹部および前記両他側係合凹部は、前記両一側係合凸部および前記両他側係合凸部の球面にそれぞれ面接触した状態で係合可能に形成されることを特徴とする。
【０００７】
請求項３の発明は、請求項１または２に記載のコネクタの支持構造において、前記一側支持部は、前記両一側係合凹部間から離間する部位が前記基板から離間するように形成されるとともに、前記他側支持部は、前記両他側係合凹部間から離間する部位が前記基板から離間するように形成されることを特徴とする。
【０００８】
請求項４の発明は、請求項１〜３のいずれか一項に記載のコネクタの支持構造において、前記一側係合凸部の１つと前記基板を介して対向する前記他側係合凸部とが連結部により連結され、この連結部が前記基板に形成される凹部に係合することにより、当該連結部にて一体に連結される前記一側係合凸部および前記他側係合凸部が前記基板に取り付けられることを特徴とする。
【０００９】
請求項５の発明は、請求項１〜４のいずれか一項に記載のコネクタの支持構造において、前記コネクタは、その挿抜方向が前記基板の前記一側面に直交するように前記基板に配置されており、前記一側支持部および前記他側支持部は、前記両一側係合凹部間の部位と前記両他側係合凹部間の部位とが互いに近接するように配置されることを特徴とする。
【発明の効果】
【００１０】
請求項１の発明では、コネクタおよびこのコネクタが設けられる基板は、弾性変形可能な基板側係合凸部の両一側係合凸部および両他側係合凸部が支持部材における両一側係合凹部および両他側係合凹部に係合することにより、支持部材に支持される。
【００１１】
これにより、外力がコネクタに対して作用することによりコネクタおよび基板が変位する場合でも、両一側係合凹部および両他側係合凹部に係合する両一側係合凸部および両他側係合凸部が弾性的に変位するので、コネクタに作用する外力を吸収することができる。特に、両一側係合凸部および両他側係合凸部は、断面形状が多角形状または円状に形成されており、両一側係合凹部および両他側係合凹部は両一側係合凸部および両他側係合凸部の表面にそれぞれ面接触した状態で係合しているので、どのような方向からの外力でも吸収することができる。
したがって、コネクタに作用する外力に対して当該コネクタを確実に保護することができる。
【００１２】
請求項２の発明では、両一側係合凸部および両他側係合凸部は、球形状にそれぞれ形成されるとともに、両一側係合凹部および両他側係合凹部は、両一側係合凸部および両他側係合凸部の球面にそれぞれ面接触した状態で係合可能に形成される。これにより、どのような方向からの外力でも確実かつ均等に吸収することができる。
【００１３】
請求項３の発明では、一側支持部は両一側係合凹部間から離間する部位が基板から離間するように形成されるとともに、他側支持部は両他側係合凹部間から離間する部位が基板から離間するように形成される。これにより、基板は、支持部材の一側支持部や他側支持部に接触することなく、コネクタに作用する外力に応じて変位するので、当該コネクタに作用する外力を確実に吸収することができる。
【００１４】
請求項４の発明では、一側係合凸部の１つと基板を介して対向する他側係合凸部とが連結部により連結され、この連結部が基板に形成される凹部に係合することにより、当該連結部にて一体に連結される一側係合凸部および他側係合凸部が基板に取り付けられる。これにより、基板に形成される凹部に連結部を係合させるだけで一側係合凸部および他側係合凸部が基板に取り付けられるので、取付作業を容易かつ確実に行うことができる。
【００１５】
請求項５の発明では、コネクタは、その挿抜方向が基板の一側面に直交するように基板に配置されている。そして、一側支持部および他側支持部は、両一側係合凹部間の部位と両他側係合凹部間の部位とが互いに近接するように配置されている。
【００１６】
コネクタの接続時には、当該コネクタとともに基板が、コネクタの挿抜方向に押圧されて支持部材の他側支持部に接触する。このため、基板と他側支持部とが離れて配置されていると、コネクタの挿抜方向への押圧に応じて基板が他側支持部に接触するまで挿抜方向へ移動してしまい、コネクタの接続が不完全になる場合がある。
【００１７】
そこで、両一側係合凹部間の部位と両他側係合凹部間の部位とが互いに近接するように一側支持部および他側支持部を配置することにより、コネクタ接続時の挿抜方向への押圧に応じて基板が直ちに他側支持部に接触するので、コネクタの接続作業が確実になされることとなる。
【発明を実施するための最良の形態】
【００１８】
以下、本発明のコネクタの支持構造を採用する保持ユニットの実施形態について図を参照して説明する。まず、本実施形態に係る保持ユニット２０の構成概要を図１に基づいて説明する。図１は、本実施形態に係る保持ユニット２０の構成概要を示す図である。
【００１９】
図１に示す携帯端末１０および保持ユニット２０は、携帯端末１０が保持ユニット２０に保持された状態で、後述する端末側コネクタ１２および保持側コネクタ３２を介してデータ等を入出力可能に構成されている。
【００２０】
携帯端末１０は、筐体１１内に制御回路やメモリ等の各種電気部品と、各種電気部品の電源として機能する電池とが収容されるように構成されている。携帯端末１０は、制御回路等により、外部からの取得した情報を制御して所定のデータを作成した後、そのデータ等をメモリに記憶するように構成されている。また、携帯端末１０の下端部には、保持ユニット２０と電気的に接続されて上記データ等が入出力される端末側コネクタ１２が設けられており、この端末側コネクタ１２は、上記制御回路に電気的に接続されている。
【００２１】
保持ユニット２０は、そのハウジング２１にて携帯端末１０の筐体１１に接触して当該携帯端末１０を支持可能に形成されており、ハウジング２１の底部２１ａの中央には、端末側コネクタ１２を介して上記データ等を入出力するための保持側コネクタ３２を有する保持側接続部３０が設けられている。
【００２２】
次に、保持側接続部３０における保持側コネクタ３２の支持構造について図２〜図４を用いて詳細に説明する。図２は、保持側接続部３０における保持側コネクタ３２の支持構造を説明するための説明図である。図３は、図２の３−３断面を示す断面図である。図４は、基板３１と保持側コネクタ３２と基板側係合凸部４０との配置関係を示す斜視図である。
【００２３】
図２および図３に示すように、保持側接続部３０は、基板３１と、この基板３１に設けられる保持側コネクタ３２および基板側係合凸部４０と、基板側係合凸部４０を介して基板３１を支持する支持部材５０とを備えている。
【００２４】
基板３１には、制御回路（図示略）が実装されており、この制御回路は、基板３１に実装される保持側コネクタ３２とこの保持側コネクタ３２に電気的に接続される端末側コネクタ１２を介して、携帯端末１０の制御回路に対してデータ等の入出力制御を行うように構成されている。なお、制御回路は、基板３１に実装されることに限らず、基板３１に電気的に接続される他の基板等に設けられてもよい。
【００２５】
また、図４に示すように、基板３１には、保持側コネクタ３２を介して長手方向にて対向するように、２つの凹部３１ａが形成されている。
【００２６】
保持側コネクタ３２は、その挿抜方向が基板３１の一側面３１ｂに直交するように当該一側面３１ｂに実装されている。
【００２７】
基板側係合凸部４０は、例えば、マイクロセルポリマー（ＰＯＲＯＮ）等の弾性変形可能な２つの略球形状の一側係合凸部４１，４２と２つの略球形状の他側係合凸部４３，４４とを備えている。一側係合凸部４１および他側係合凸部４３は、連結部４５により一体に連結されており、一側係合凸部４２および他側係合凸部４４は、連結部４６により一体に連結されている。両連結部４５，４６は、基板３１の両凹部３１ａに係合可能に円柱状に形成されている。
【００２８】
支持部材５０は、ＡＢＳ樹脂等の合成樹脂から構成されており、図２および図３に示すように、所定の隙間を介して互いに対向するように形成される一側支持部５０ａおよび他側支持部５０ｂを備えている。
【００２９】
一側支持部５０ａには、後述するように基板３１に係合された基板側係合凸部４０の両一側係合凸部４１，４２の表面にそれぞれ面接触した状態で係合可能な２つの一側係合凹部５１，５２がそれぞれ形成されている。この一側支持部５０ａは、２つの半球状の半球状凹部が形成される上側部材と２つの半球状の半球状凹部が形成される下側部材とを上下方向から組み付けることで、両一側係合凹部５１，５２が構成される。
【００３０】
また、一側支持部５０ａの両一側係合凹部５１，５２間には、保持側コネクタ３２を露出させるための貫通部５５が設けられており、この貫通部５５は、上側部材に形成される凹部５５ａと下側部材に形成される凹部５５ｂとを対向させた状態で両部材を組み付けることで両凹部５５ａ，５５ｂにより形成される。また、貫通部５５は、保持側コネクタ３２を露出させるとき、当該保持側コネクタ３２の各側面に対して所定の隙間が設けられるように形成される。
【００３１】
また、一側支持部５０ａにおいて、両一側係合凹部５１，５２間から離間する部位である外縁部５６は、後述するように組み付けられた基板３１の一側面３１ｂから離間するようにテーパ状に形成されている（図２および図３参照）。
【００３２】
他側支持部５０ｂには、後述するように基板３１に係合された基板側係合凸部４０の両他側係合凸部４３，４４の表面にそれぞれ面接触した状態で係合可能な２つの他側係合凹部５３，５４がそれぞれ形成されている。この他側支持部５０ｂは、２つの半球状の半球状凹部が形成される上側部材と２つの半球状の半球状凹部が形成される下側部材とを上下方向から組み付けることで、両他側係合凹部５３，５４が構成される。
【００３３】
また、他側支持部５０ｂにおいて、両他側係合凹部５３，５４間から離間する部位である外縁部５７は、後述するように組み付けられた基板３１の他側面３１ｃから離間するようにテーパ状に形成されている（図２および図３参照）。
【００３４】
そして、一側支持部５０ａおよび他側支持部５０ｂは、一側支持部５０ａにおける両一側係合凹部５１，５２間の部位である中央部５８と、他側支持部５０ｂにおける両他側係合凹部５３，５４間の部位である中央部５９とが、互いに近接するように配置されている。
【００３５】
このように一側支持部５０ａの中央部５８と他側支持部５０ｂの中央部５９とが近接しているので、保持側コネクタ３２と端末側コネクタ１２との接続時に、保持側コネクタ３２とともに基板３１が当該保持側コネクタ３２の挿抜方向へ押圧されると、基板３１が直ちに他側支持部５０ｂの中央部５９に接触する。このため、両コネクタ３２，１２の接続時に基板３１が挿抜方向へ移動し続けて両コネクタ３２，１２の接続が不完全になることもないので、両コネクタ３２，１２の接続作業が確実になされる。
【００３６】
なお、一側支持部５０ａおよび他側支持部５０ｂの両上側部材は、両一側係合凹部５１，５２と両他側係合凹部５３，５４との位置関係を一義的に定めるために上側連結部材（図示略）によって一体に連結されているが、別体として構成されてもよい。また、一側支持部５０ａおよび他側支持部５０ｂの両下側部材は、両一側係合凹部５１，５２と両他側係合凹部５３，５４との位置関係を一義的に定めるために下側連結部材５０ｃによって一体に連結されているが、別体として構成されてもよい。
【００３７】
次に、保持側接続部３０における組み付け作業について説明する。
まず、基板３１の両凹部３１ａに保持側接続部３０の両連結部４５，４６を係合する。これにより、両一側係合凸部４１，４２が基板３１の一側面３１ｂ側にて保持側コネクタ３２に対して互いに対角の位置に配置され、両他側係合凸部４３，４４が基板３１の他側面３１ｃ側にて両一側係合凸部４１，４２に対して基板３１を介して対向する位置にそれぞれ配置される。
【００３８】
このように、両凹部３１ａに両連結部４５，４６を係合させるだけで両一側係合凸部４１，４２および両他側係合凸部４３，４４が基板３１に取り付けられるので、基板３１への両一側係合凸部４１，４２および両他側係合凸部４３，４４の取付作業を容易かつ確実に行うことができる。
【００３９】
次に、両一側係合凸部４１，４２の下部を一側支持部５０ａにおける下側部材の両半球状凹部に係合するとともに、両他側係合凸部４３，４４の下部が他側支持部５０ｂにおける下側部材の両半球状凹部に係合することにより、基板３１を、一側支持部５０ａおよび他側支持部５０ｂ間に配置する。このとき、保持側コネクタ３２の下部は、一側支持部５０ａにおける下側部材の凹部５５ｂに所定の隙間を介して対向する。
【００４０】
そして、一側支持部５０ａおよび他側支持部５０ｂにおける上側部材を、各半球状凹部が両一側係合凸部４１，４２の上部および両他側係合凸部４３，４４の上部にそれぞれ係合するように、下側部材に組み付ける。このとき、保持側コネクタ３２の上部は、一側支持部５０ａにおける上側部材の凹部５５ａに所定の隙間を介して対向する。なお、一側支持部５０ａおよび他側支持部５０ｂにおける上側部材と下側部材とは、ねじ等の締結部材により固定されてもよいし、保持ユニット２０への組み付け時に当該保持ユニット２０のハウジング等に挟持されて固定されてもよい。
【００４１】
これにより、基板側係合凸部４０の両一側係合凸部４１，４２および両他側係合凸部４３，４４が、支持部材５０の両一側係合凹部５１，５２および両他側係合凹部５３，５４にそれぞれ係合するとともに、保持側コネクタ３２が貫通部５５を介して露出した状態にて、当該保持側コネクタ３２および基板３１が支持部材５０に支持されることとなる。
【００４２】
次に、保持側コネクタ３２に外力が作用する場合の基板側係合凸部４０および支持部材５０の作用・効果について図５および図６を用いて説明する。図５は、保持側コネクタ３２の支持構造を説明するための平面図であり、図５（Ａ）は、保持側コネクタ３２に外力が作用しない状態を示し、図５（Ｂ）は、保持側コネクタ３２に外力が作用する状態を示す。図６は、図５（Ａ）の６−６断面を示す断面図であり、図６（Ａ）は、保持側コネクタ３２に外力が作用しない状態を示し、図６（Ｂ）は、保持側コネクタ３２に外力が作用する状態を示す。なお、図５（Ａ），（Ｂ）においては、説明の便宜上、一側支持部５０ａおよび他側支持部５０ｂの両上側部材を省略して示している。
【００４３】
上述のように構成される保持側接続部３０において、保持側コネクタ３２と端末側コネクタ１２とが接続された状態で保持側コネクタ３２に外力が作用しない場合には、図５（Ａ）および図６（Ａ）に示すように、保持側コネクタ３２および基板３１が、傾動することなく基板側係合凸部４０を介して支持部材５０される。
【００４４】
そして、保持ユニット２０が床等に衝突して保持側コネクタ３２に外力が作用すると、この外力に応じて保持側コネクタ３２および基板３１が傾動するように変位する。このような基板３１の変位により、基板側係合凸部４０の両一側係合凸部４１，４２および両他側係合凸部４３，４４が、支持部材５０の両一側係合凹部５１，５２および両他側係合凹部５３，５４内で弾性変形する。
【００４５】
このような両一側係合凸部４１，４２および両他側係合凸部４３，４４の弾性変形により上述した外力が吸収されるので、大きな外力が保持側コネクタ３２に作用する場合でも保持側コネクタ３２と基板３１との接続部に作用する外力が抑制されて、保持側コネクタ３２を確実に保護することができる。
【００４６】
特に、両一側係合凸部４１，４２および両他側係合凸部４３，４４は、球形状にそれぞれ形成されて両一側係合凹部５１，５２および両他側係合凹部５３，５４にそれぞれ面接触した状態で係合可能に形成されているので、どのような方向からの外力でも確実かつ均等に吸収することができる。
【００４７】
また、一側支持部５０ａの外縁部５６は、基板３１の一側面３１ｂから離間するようにテーパ状に形成されており、他側支持部５０ｂの外縁部５７は、基板３１の他側面３１ｃから離間するようにテーパ状に形成されている。このため、基板３１は、一側支持部５０ａや他側支持部５０ｂに接触することなく、保持側コネクタ３２に作用する外力に応じて傾動するように変位することとなり、当該保持側コネクタ３２に作用する外力が確実に吸収される。
【００４８】
以上説明したように、本実施形態に係るコネクタの支持構造を採用する保持ユニット２０では、保持側コネクタ３２およびこの保持側コネクタ３２が設けられる基板３１は、弾性変形可能な基板側係合凸部４０の両一側係合凸部４１，４２および両他側係合凸部４３，４４が支持部材５０における両一側係合凹部５１，５２および両他側係合凹部５３，５４に係合することにより、支持部材５０に支持されている。
【００４９】
これにより、外力が保持側コネクタ３２に対して作用することにより保持側コネクタ３２および基板３１が傾動するように変位する場合でも、両一側係合凹部５１，５２および両他側係合凹部５３，５４に係合する両一側係合凸部４１，４２および両他側係合凸部４３，４４が弾性的に変位するので、保持側コネクタ３２に作用する外力を吸収することができる。特に、両一側係合凸部４１，４２および両他側係合凸部４３，４４は、球形状にそれぞれ形成されるとともに、両一側係合凹部５１，５２および両他側係合凹部５３，５４は、両一側係合凸部４１，４２および両他側係合凸部４３，４４の球面にそれぞれ面接触した状態で係合可能に形成されているので、どのような方向からの外力でも確実かつ均等に吸収することができる。
したがって、保持側コネクタ３２に作用する外力に対して当該保持側コネクタ３２を確実に保護することができる。
【００５０】
また、本実施形態に係るコネクタの支持構造を採用する保持ユニット２０では、一側支持部５０ａは両一側係合凹部５１，５２間から離間する部位である外縁部５６が基板３１から離間するように形成されるとともに、他側支持部５０ｂは両他側係合凹部５３，５４間から離間する部位である外縁部５７が基板３１から離間するように形成される。これにより、基板３１は、支持部材５０の一側支持部５０ａや他側支持部５０ｂに接触することなく、保持側コネクタ３２に作用する外力に応じて傾動するように変位するので、当該保持側コネクタ３２に作用する外力を確実に吸収することができる。
【００５１】
さらに、本実施形態に係るコネクタの支持構造を採用する保持ユニット２０では、一側係合凸部４１および他側係合凸部４３は、連結部４５により一体に連結されており、一側係合凸部４２および他側係合凸部４４は、連結部４６により一体に連結されている。そして、両連結部４５，４６が基板３１に形成される両凹部３１ａにそれぞれ係合することにより、当該両連結部４５，４６にてそれぞれ一体に連結される両一側係合凸部４１，４２および両他側係合凸部４３，４４が基板３１に取り付けられる。これにより、基板３１に形成される両凹部３１ａに連結部４５，４６を係合させるだけで両一側係合凸部４１，４２および両他側係合凸部４３，４４が基板３１に取り付けられるので、取付作業を容易かつ確実に行うことができる。
【００５２】
さらに、本実施形態に係るコネクタの支持構造を採用する保持ユニット２０では、保持側コネクタ３２は、その挿抜方向が基板３１の一側面３１ｂに直交するように基板３１に実装されている。そして、一側支持部５０ａおよび他側支持部５０ｂは、両一側係合凹部５１，５２間の部位である中央部５８と両他側係合凹部５３，５４間の部位である中央部５９とが互いに近接するように配置されている。
【００５３】
これにより、コネクタ接続時の挿抜方向への押圧に応じて基板３１が直ちに他側支持部５０ｂに接触するので、保持側コネクタ３２の接続作業が確実になされることとなる。
【００５４】
なお、本発明は上記実施形態に限定されるものではなく、以下のように具体化してもよく、その場合でも、上記実施形態と同等の作用・効果が得られる。
（１）一側係合凸部４１，４２および他側係合凸部４３，４４は、球形状に形成されることに限らず、例えば、断面形状が多角形状または円状に形成されてもよい。このとき、両一側係合凹部５１，５２および両他側係合凹部５３，５４は両一側係合凸部４１，４２および両他側係合凸部４３，４４の表面にそれぞれ面接触した状態で係合可能に形成される。このように形成しても、一側係合凸部４１，４２および他側係合凸部４３，４４の弾性変形により、保持側コネクタ３２に作用するどのような方向からの外力でも吸収することができる。
【００５５】
（２）一側支持部５０ａの外縁部５６は、基板３１の一側面３１ｂから離間するようにテーパ状に形成されることに限らず、例えば、段差状や湾曲状にて一側面３１ｂから離間するように形成されてもよい。また、他側支持部５０ｂの外縁部５７は、基板３１の他側面３１ｃから離間するようにテーパ状に形成されることに限らず、例えば、段差状や湾曲状にて他側面３１ｃから離間するように形成されてもよい。このようにしても、基板３１は、支持部材５０の一側支持部５０ａや他側支持部５０ｂに接触することなく、保持側コネクタ３２に作用する外力に応じて傾動するように変位するので、当該保持側コネクタ３２に作用する外力を確実に吸収することができる。
【００５６】
（３）一側係合凸部４１，４２および他側係合凸部４３，４４は、両連結部４５，４６が基板３１に形成される両凹部３１ａにそれぞれ係合することにより、基板３１に取り付けられることに限らず、例えば、一側係合凸部４１，４２および他側係合凸部４３，４４を、直接基板３１の一側面３１ｂおよび他側面３１ｃに固定してもよい。
【００５７】
（４）保持側コネクタ３２は、端末側コネクタ１２を介してデータ等を入出力する機能を備えるだけでなく、例えば、当該携帯端末１０に電力を供給するための機能を兼備してもよい。
【００５８】
（５）本実施形態に係るコネクタの支持構造は、携帯端末１０の端末側コネクタ１２を支持するために採用されてもよい。さらに、本実施形態に係るコネクタの支持構造は、携帯端末などの機器とコネクタを介して着脱可能に接続される機器との少なくともいずれか一方に採用されてもよい。このようにしても、コネクタに作用する外力に対して当該コネクタを確実に保護することができる。
【図面の簡単な説明】
【００５９】
【図１】本実施形態に係る保持ユニットの構成概要を示す図である。
【図２】保持側接続部における保持側コネクタの支持構造を説明するための説明図である。
【図３】図２の３−３断面を示す断面図である。
【図４】基板と保持側コネクタと基板側係合凸部との配置関係を示す斜視図である。
【図５】保持側コネクタの支持構造を説明するための平面図であり、図５（Ａ）は、保持側コネクタに外力が作用しない状態を示し、図５（Ｂ）は、保持側コネクタに外力が作用する状態を示す。
【図６】図５（Ａ）の６−６断面を示す断面図であり、図６（Ａ）は、保持側コネクタに外力が作用しない状態を示し、図６（Ｂ）は、保持側コネクタに外力が作用する状態を示す。
【符号の説明】
【００６０】
１０…携帯端末
１２…端末側コネクタ
２０…保持ユニット
３０…保持側接続部
３１…基板
３１ａ…凹部
３１ｂ…一側面
３１ｃ…他側面
３２…保持側コネクタ
４０…基板側係合凸部
４１，４２…一側係合凸部
４３，４４…他側係合凸部
４５，４６…連結部
５０…支持部材
５０ａ…一側支持部
５０ｂ…他側支持部
５１，５２…一側係合凹部
５３，５４…他側係合凹部
５６，５７…外縁部
５８，５９…中央部
【図１】
2010146929.tif 000003
【図２】
2010146929.tif 000004
【図３】
2010146929.tif 000005
【図４】
2010146929.tif 000006
【図５】
2010146929.tif 000007
【図６】
2010146929.tif 000008